(57)【要約】    【課題】ダンボール箱に収納されて出荷された農産物が消費者に渡る前段階での品質状況を包装体の蓋を開封することなく推測できる包装体を提供する。    【解決手段】農産物を段ボール箱６に箱詰後、予め管理装置10に記憶しているこの段ボール箱内の農産物の書誌的事項をラベルプリンタ15に送信可能とし、またこの段ボール箱６内の農産物をカメラ11で撮影した撮影画像を管理装置10送信して当該段ボール箱で管理されている書誌的事項と共にラベルプリンタ15で画像表示ラベル14に印刷し、ラベル貼機13でこの段ボール箱６に印刷された画像表示ラベルを貼り付ける。【選択図】    図１
2005055711.tif 000002
【特許請求の範囲】
【請求項１】
包装体内に収納された状態の農産物を撮影して得られた画像が少なくとも形成され、当該包装体に付与されることを特徴とする包装商品の画像表示ラベル。
【請求項２】
農産物が収納された包装体であって、該包装体内に収納された状態の農産物を撮影して得られた画像が少なくとも形成された画像表示ラベルを該包装体の外側に付与したことを特徴とする包装体。
【請求項３】
包装体内に箱詰されている農産物の書誌的情報を取得する書誌的情報取得手段と、
包装体内に箱詰された状態の農産物を該包装体の蓋を開放した状態で撮影する撮影手段と、
前記撮影手段で撮影した農産物の画像情報と、前記書誌的情報取得手段で取得した該農産物の画像情報に対応した農産物の書誌的情報とを同じ画像表示ラベルに形成する画像形成手段と、
前記画像表示ラベルを撮影画像の農産物が収納されている包装体に貼り付けるラベル貼り付け手段と、
を備えたことを特徴とする包装商品の表示画像形成システム。
【請求項４】
包装体内に箱詰されている農産物の書誌的情報を取得する書誌的情報取得手段と、
包装体内に箱詰された状態の農産物を該包装体の蓋を開放した状態で撮影する撮影手段と、
前記撮影手段で撮影した農産物の画像情報を画像表示ラベルに表示する農産物の画像形成手段と、
前記画像形成手段で形成された農産物の画像表示ラベルを撮影画像の農産物が収納されている包装体に貼り付けるラベル貼り付け手段と、
前記書誌的情報取得手段で取得した農産物の書誌的情報を該当する農産物が収納されている包装体に付与する情報付与手段と、
を備えたことを特徴とする包装商品の表示画像形成システム。
【請求項５】
包装体内に箱詰されている農産物の書誌的情報を取得する書誌的情報取得手段と、
包装体内に箱詰された状態の農産物を該包装体の蓋を開放した状態で撮影する撮影手段と、
前記撮影手段で撮影した農産物の画像情報と、前記書誌的情報取得手段で取得した該農産物の画像情報に対応した農産物の書誌的情報とを当該農産物の収納された包装体に形成する画像形成手段と、
を備えたことを特徴とする包装商品の表示画像形成システム。
【請求項６】
前記包装体内に収納する農産物は同一の区分に属することを特徴とする請求項３、４または５に記載の包装商品の表示画像形成システム。
【請求項７】
供給される農産物を選別仕分け装置により所定の仕分け区分で選別し、仕分けされた農産物を包装体に箱詰包装する農産物の選別包装装置において、請求項３から６のいずれかに記載の表示画像形成システムを有し、前記農産物の箱詰終了後、包装体内の農産物を前記撮影手段により撮影することを特徴とする農産物の選別包装装置。
【発明の詳細な説明】
【技術分野】
【０００１】
本発明は、ダンボール箱等の包装体内に収納される草花等の花卉、桃，梨，りんご，メロン，トマト等の青果物等の農産物の画像をダンボール箱等の包装体の外表面に表示するための包装商品の画像表示ラベル、包装商品の画像がダンボール箱等の包装体の外表面に表示された包装体、該画像をダンボール箱等の包装体の外表面に表示させる包装商品の表示画像形成システム及び農産物の選別包装装置に関するものである。
【背景技術】
【０００２】
従来、農産物の集・出荷場或いは農産物の選別包装施設において、所定の仕分け区分で機械選別あるいは手作業選別で分類分けされた農産物入りダンボール箱には、外表面の所定位置に、収納される農産物の名称，品種，等級，階級，数量（個数）又は重量，選果場名等が印字手段により直接印字され或いはラベルに印字されて貼り付けられことによって表示され、市場や消費地に向けて出荷されている。
【０００３】
そして、例えば市場においてダンボール箱毎農産物を仕入れる小売業者等は、商品を買い付ける際に、競りなどで一部が開いたダンボール箱内の農産物を見て、未だ開いていないダンボール箱内の農産物の品質を予測している。
【０００４】
また、農産物の一つである生花等の花卉の販売方法として、送り主から生花を商品受取人に送付する注文を生花の販売人が受けると、該生花の販売人が送付する生花の写真を撮影し、撮影画像を返信用葉書に印刷する。そして、生花の画像が印刷されている前記返信用葉書を商品である生花と共に商品受取人に送り、商品受取人は受け取った返信用葉書を送り主に送付することで、実際に商品を見ることなく生花を注文した送り主はどのような商品を商品受取人に送ったかを確認することができるようになっている（特許文献１）。
【特許文献１】特開２００１−３１９０６８号公報
【発明の開示】
【発明が解決しようとする課題】
【０００５】
上述したダンボール入り農産物を市場等で買い付ける際、特に農産物が花の場合、花の開き具合や形状、或いは着色の程度などが店頭に並べたときに重要であり、特に知りたいところでもある。
【０００６】
しかしながら、現状ではダンボール箱の蓋を開けなければこのような花の状態を知ることができない。
【０００７】
そのため、花などの農産物をダンボール箱に箱詰し、封函した後に、例えば市場等において、ダンボール箱内の農産物の状態を知ろうとする場合には、一々ダンボール箱を開けて花を確認しなければならないので、手間がかかるという問題がある。
【０００８】
また、花などの農産物入りのダンボールの外表面にはラベルなどによって、農産物の名称，品種，等級，階級，数量（個数）又は重量，選果場名等の項目（以下規格関連項目と称す）が表示されているが、花卉のように品種が多い場合には、これら規格関連項目の表示からダンボール箱の中身を正確に把握することが容易ではないため、買い付けは熟練者に頼っているのが現状である。
【０００９】
さらに、買い付けた多数のダンボール箱を保管する場合、ダンボールの外表面に表示されている上述の規格関連項目の表示情報は単に収納されている農産物固有の規格に係る情報であって、箱内に収納されている農産物の外観から判別される現在の品質状態、例えば花の場合には開花状態等を直接示すものはないことから、どのダンボール箱を開けて先に店頭へ出し、どのダンボール箱を後回しにするかといった商品の保管順序の判別ができない。このため、一々ダンボール箱の蓋を開けて収納されている農産物の品質状況を見極める作業が必要であった。例えば、トマトを例にすると青みが残っている物よりも、熟れて赤くなっている物の方が商品の購買意欲が増すので、これらを先に店頭に並べられる。このため、商品を買い付ける際に、店頭に並べるスケジュールを考え合わせると、どうしてもダンボール箱の蓋を開けて農産物の品質状況を確認せざるを得なかった。
【００１０】
一方、上述の特許文献１に記載の発明にあっては、生花の流通過程において、生花の販売人が送り主に送る生花の写真を撮影し、これを返信用葉書に印刷して生花と共に該送り主に送るため、生花の写真は販売人にとってはダンボール箱内に収納されている商品の品質を見極めるために用いられることはなく、どのダンボール箱に収納されている生花が送るのに丁度良い状態にあるかの判断はやはりダンボール箱を開けないとできない。
【００１１】
本願発明の目的は、このような従来の問題に鑑みなされたもので、農産物の集・集出荷場或いは農産物の選別包装施設からダンボール箱等の包装体に収納されて出荷された農産物が消費者に渡る前段階でどのような品質状況にあるのかを該包装体を開封することなく推測できる包装商品の画像表示ラベル、包装商品の画像がダンボール箱等の包装体の外表面に表示された包装体、該画像をダンボール箱等の包装体の外表面に表示させる包装商品の表示画像形成システム及び農産物の選別包装装置を提供しようとするものである。
【課題を解決するための手段】
【００１２】
第１の発明は、包装体内に収納された状態の農産物を撮影して得られた画像が少なくとも形成され、当該包装体に付与されることを特徴とする包装商品の画像表示ラベルにある。
【００１３】
第１の発明では、カタログ的に一般的な農産物の画像を表示するのではなく、段ボール箱などの包装体に収納された花卉や野菜、果物などの農産物をカメラ等で撮影し、得られた農産物の画像を画像表示ラベルに表示しているので、この画像表示ラベルを撮影画像の農産物が収納されている包装体に例えば貼り付けたり、下げたりというように簡単な取り扱いで、包装体の蓋を開けることなく収納されている実際の農産物を容易に認識することができる。
【００１４】
第２の発明は、農産物が収納された包装体であって、該包装体内に収納された状態の農産物を撮影して得られた画像が少なくとも形成された画像表示ラベルを該包装体の外側に付与したことを特徴とする包装体にある。
【００１５】
第２の発明では、段ボール箱等の包装体の外側には、収納されている農産物の画像を形成した画像表示ラベルが貼り付けられるなどして付与されているので、撮影時（出荷時）における農産物である例えば花の状態（色、つぼみの大きさ、開花状態）から現在の花の状態を容易に予測することができる。このため、花などの農産物を仕入れる際に、小売業者においては商品の販売スケジュールを立てることができる。
【００１６】
また、販売スケジュールに合わせて商品の買い付けができ、特売日にちょうど色づくように予測し、あるいはイベントに合わせて花の買い付けを行うことができる。
【００１７】
第３の発明は、包装体内に箱詰されている農産物の書誌的情報を取得する書誌的情報取得手段と、包装体内に箱詰された状態の農産物を該包装体の蓋を開放した状態で撮影する撮影手段と、前記撮影手段で撮影した農産物の画像情報と、前記書誌的情報取得手段で取得した該農産物の画像情報に対応した農産物の書誌的情報とを同じ画像表示ラベルに形成する画像形成手段と、前記画像表示ラベルを撮影画像の農産物が収納されている包装体に貼り付けるラベル貼り付け手段と、を備えたことを特徴とする包装商品の表示画像形成システムにある。
【００１８】
第３の発明では、段ボール箱などの包装体内に対して花卉等の農産物の箱詰が終了した後に、農産物の品名、品種名、等級、階級、箱詰個数、生産者名等の書誌的事項と箱詰されている農産物の画像とを１枚の画像表示ラベルに形成し、これを撮影した画像の農産物が収納されている包装体に貼り付けることができるので、箱詰後にこの一連の画像形成動作をシステム的に行うことができる。
【００１９】
第４の発明は、包装体内に箱詰されている農産物の書誌的情報を取得する書誌的情報取得手段と、包装体内に箱詰された状態の農産物を該包装体の蓋を開放した状態で撮影する撮影手段と、前記撮影手段で撮影した農産物の画像情報を画像表示ラベルに表示する農産物の画像形成手段と、前記画像形成手段で形成された農産物の画像表示ラベルを撮影画像の農産物が収納されている包装体に貼り付けるラベル貼り付け手段と、前記書誌的情報取得手段で取得した農産物の書誌的情報を該当する農産物が収納されている包装体に付与する情報付与手段と、を備えたことを特徴とする包装商品の表示画像形成システムにある。
【００２０】
第４の発明では、第３の発明とは異なり、１枚の画像表示ラベルには農産物の画像のみを形成し、書誌的事項についてはラベルを介してあるいは直接に包装体に表示しているので、第３の発明のように１枚のラベルを用いる場合と比べて文字や記号などの表示スペースが不要となり、高価な上質の画像表示ラベルを用いて高画質の農産物の画像を提供しても低コストの用紙を使用することができる。
【００２１】
第５の発明は、包装体内に箱詰されている農産物の書誌的情報を取得する書誌的情報取得手段と、包装体内に箱詰された状態の農産物を該包装体の蓋を開放した状態で撮影する撮影手段と、前記撮影手段で撮影した農産物の画像情報と、前記書誌的情報取得手段で取得した該農産物の画像情報に対応した農産物の書誌的情報とを当該農産物の収納された包装体に形成する画像形成手段と、を備えたことを特徴とする包装商品の表示画像形成システムにある。
【００２２】
第５の発明では、第３、第４の発明とは異なり、画像表示ラベルを使用せず、農産物の画像及び農産物の書誌的事項を直接段ボール箱などの包装体の外表面に形成するため、画像ラベルやラベル貼機などが不要となり、コストダウンを図ることができる。
【００２３】
第６の発明は、上記したいずれかの包装商品の表示画像形成システムにおいて、前記包装体内に収納する農産物は同一の区分に属することを特徴とする。
【００２４】
第６の発明では、例えば等級・階級が同一に仕分けされている農産物を箱詰して出荷する商品、例えばトマト、桃等において、段ボール箱等を開けることなく同一区分の農産物の色づき、熟れ具合などを容易に予測して買い付けることができる。
【００２５】
第７の発明は、供給される農産物を選別仕分け装置により所定の仕分け区分で選別し、仕分けされた農産物を包装体に箱詰包装する農産物の選別包装装置において、上記いずれかの表示画像形成システムを有し、前記農産物の箱詰終了後、包装体内の農産物を前記撮影手段により撮影することを特徴とする農産物の選別包装装置にある。
【００２６】
第７の発明によれば、表示画像形成システム用の作業者を必要とすることなく箱詰後の農産物を撮影し、農産物の撮影画像及び書誌的事項を段ボール箱などの包装体に表示させることができる。
【発明の効果】
【００２７】
請求項１に係る発明によれば、カタログ的に一般的な農産物の画像を表示するのではなく、段ボール箱などの包装体に収納された花卉や野菜、果物などの農産物をカメラ等で撮影し、得られた農産物の画像を画像表示ラベルに表示しているので、この画像表示ラベルを撮影画像の農産物が収納されている包装体に例えば貼り付けたり、さげたりというように簡単な取り扱いで、包装体の蓋を開けることなく収納されている実際の農産物を容易に認識することができる。
【００２８】
請求項２に係る発明によれば、段ボール箱等の包装体の外側には、収納されている農産物の画像を形成した画像表示ラベルが貼り付けられるなどして付与されているので、撮影時（出荷時）における農産物である例えば花の状態（色、つぼみの大きさ、開花状態）から現在の花の状態を容易に予測することができる。このため、花などの農産物を仕入れる際に、小売業者においては商品の販売スケジュールを立てることができる。
【００２９】
また、販売スケジュールに合わせて商品の買い付けができ、特売日にちょうど色づくように予測し、あるいはイベントに合わせて花の買い付けを行うことができる。
【００３０】
請求項３に係る発明によれば、段ボール箱などの包装体内に対して花卉等の農産物の箱詰が終了した後に、農産物の品名、品種名、等級、階級、箱詰個数、生産者名等の書誌的事項と箱詰されている農産物の画像とを１枚の画像表示ラベルに形成し、これを撮影した画像の農産物が収納されている包装体に貼り付けることができるので、箱詰後にこの一連の画像形成動作をシステム的に行うことができる。
【００３１】
請求項４に係る発明によれば、請求項３に係る発明とは異なり、１枚の画像表示ラベルには農産物の画像のみを形成し、書誌的事項についてはラベルを介してあるいは直接に包装体に表示しているので、請求項３に係る発明のように１枚のラベルを用いる場合と比べて文字や記号などの表示スペースが不要となり、高価な上質の画像表示ラベルを用いて高画質の農産物の画像を提供しても低コストの用紙を使用することができる。
【００３２】
請求項５に係る発明によれば、請求項３、４に係る発明とは異なり、画像表示ラベルを使用せず、農産物の画像及び農産物の書誌的事項を直接段ボール箱などの包装体の外表面に形成するため、画像ラベルやラベル貼機などが不要となり、コストダウンを図ることができる。
【００３３】
請求項６に係る発明によれば、例えば等・階級階級が同一に仕分けされている農産物を箱詰して出荷する商品、例えばトマト、桃等において、段ボール箱等を開けることなく同一区分の農産物の色づき、熟れ具合などを容易に予測して買い付けることができる。
【００３４】
請求項７に係る発明によれば、表示画像形成システム用の作業者を必要とすることなく箱詰後の農産物を撮影し、農産物の撮影画像及び書誌的事項を段ボール箱などの包装体に表示させることができる。
【発明を実施するための最良の形態】
【００３５】
（第１の実施の形態）
図１〜図３は本発明の第１の実施の形態を示す。
【００３６】
図１（ａ）は、農産物の選別包装施設の概略構成を示す図、（ｂ）は包装商品の画像表示ラベルの一例を示す図、図２（ａ）は包装商品の表示画像形成システムの概略を示す図、（ｂ）は図２（ａ）の表示画像形成システムにより形成された包装商品の画像表示ラベルの表示形態を示す図、図３は表示画像形成システムの動作を示すフローチャートである。
【００３７】
図１（ａ）において、Ａは供給された農産物を選別し、選別結果によって等級及び階級等に仕分けられた農産物を仕分け区分毎に箱詰する選別包装装置であり、平面的に示している。選別包装装置Ａでは箱詰後にダンボール箱の蓋は閉じておらず、開放状態が維持されている。Ｂは選別包装装置Ａから搬送されるダンボール箱内の農産物を撮影し、この撮影画像をラベルに印刷し、農産物の画像が印刷されたラベルを該印刷された農産物を収納している段ボール箱の外表面に貼り付ける画像形成装置であり、縦断面で示している。
【００３８】
図に示す選別包装装置Ａは概略構成を示したもので、農産物の供給される選別コンベア１上に計測装置（計量装置、カメラ等）２ａを設け、コンベア１上を搬送される農産物に対して所定の項目を計測し、計測データに基づいて仕分け演算装置２ｂにより計測した農産物の等級・階級等を個々に判定する。そして、判定結果は個々の農産物毎に選別包装施設の全体を制御する制御装置である管理装置１０に送信されて記憶される。また、仕分け演算装置２ｂは、後述する箱詰のための仕分け信号を不図示の排出装置に出力する。
【００３９】
選別コンベア１を搬送される計測済みの農産物は、仕分けコンベア３に移送される。仕分けコンベア３の搬送路に沿って複数の排出装置（不図示）が配置され、これらの排出装置に前記仕分け信号が出力されると、仕分けコンベア３上を搬送される農産物が当該排出装置により箱詰のための引出コンベア４ａ、４ｂ、４ｃ・・・・に向けて排出され、例えば引出コンベア４ａには階級が３Ｌで等級が秀、引出コンベア４ｂには階級が３Ｌで等級が優、引出コンベア４ｃには階級が３Ｌで等級が良の農産物、例えばトマトが前記排出装置により仕分けコンベア３から排出されるものとする。
【００４０】
階級、等級別に夫々引出コンベア４（４ａ、４ｂ、４ｃ・・・）に排出されている農産物は、各引出コンベア４から夫々の箱詰装置５（５ａ、５ｂ、５ｃ・・・）に移送されて包装体、例えば段ボール箱６に箱詰される。また、各箱詰装置５に対応する位置で、各箱詰装置５毎に予め設定された固有番号を文字又はバーコード等の記号で表示する箱詰装置番号ラベル７（７ａ、７ｂ、７ｃ・・・）を段ボール箱７の側面の所定位置に手作業又は機械により貼り付けている。また、選別コンベア１に農産物を供給する際、選別コンベア１の農産物供給部の近傍に配置したデータ入力装置である操作卓（不図示）を操作して各箱詰装置５について、当該箱詰装置で箱詰する等階級の区分を管理装置１０に入力すると共に、生産者の情報、農産物の名称、農産物の品種等の情報も管理装置１０に入力する。なお、収納する農産物の個数についてもこの操作卓から入力することができる。
【００４１】
箱詰装置番号ラベル７が貼り付けられた各箱詰装置５から排出された段ボール箱６は、蓋を開放したままで搬送コンベア８へ送出される。
【００４２】
以上が選別包装装置Ａの概略構成で、搬送コンベア８上を蓋を開放したままで搬送される段ボール箱６は、画像形成装置Ｂの撮影エリアに向けて搬送される。
【００４３】
画像形成装置Ｂは、段ボール箱６に収容された農産物を撮影するカメラ１１を搬送コンベア８の搬送路の上方に配置している。また、カメラ１１の設置位置よりも搬送コンベア８の搬送方向上流側には、段ボール箱６の外表面に貼り付けた箱詰装置番号ラベル７のバーコード表示された箱詰装置番号を読み取るバーコードリーダー１２が配置されている。このバーコードリーダー１２は読み取った段ボール箱６の箱詰装置番号を管理装置１０に送信し、メモリに記憶する。
【００４４】
管理装置１０は、送信された箱詰装置の番号に基づいて、この番号と対応して記憶している農産物の等階級等の情報を読み出すことができる。バーコードリーダー１２で上述した情報が読み取られた段ボール箱６は、まだ蓋を開放した状態でカメラ１１の設置位置まで搬送され、カメラ１１により段ボール箱６内に箱詰されている農産物が撮影される。カメラ１１による農産物の撮影は、例えば箱詰される農産物を全体的に撮影し、撮影した画像情報を管理装置１０に送信する。管理装置１０において、送信された農産物の全体画像情報を第１画像情報とすると共に、この第１画像情報の特定部分を拡大する画像処理を行う。この特定部分の拡大画像処理は、１箇所又は複数箇所について行われ、それぞれ第２画像情報、第３画像情報として記憶されるが、第２画像情報以下の特定部分の画像処理を行うか否かは収納される農産物の種類等によって適宜決定される。例えば上述のようにトマトを収納している場合には、段ボール箱に収納されているトマト全体の画像情報である第１画像情報と、例えば１個あるいは複数個のトマトを拡大した第２画像情報とがメモリに記憶される。
【００４５】
また、画像形成装置Ｂは、カメラ１１の設置位置よりも搬送コンベア８の搬送方向下流側にラベル貼機１３が配置され、搬送コンベア８上を搬送する撮影済みの段ボール箱６の外表面の所定位置に画像ラベル１４を貼り付けるようになっている。ラベル貼機１３は画像ラベル１４に画像を形成するラベルプリンタ１５と一体的に取り付けられており、ラベルプリンタ１５には管理装置１０からメモリに記憶された第１画像情報及び第２画像情報等のイメージ情報信号と、収納されている農産物の名称と、その品種名、等級、階級、撮影年月日（出荷日）、生産者の氏名、個数等の書誌的事項信号、及び必要に応じて各段ボール箱６毎の固有識別情報をバーコードで示すためのバーコード信号とが出力される。
【００４６】
ラベルプリンタ１５はこれらの信号に基づいて、図１（ｂ）に示すように、画像ラベル１４の所定の位置にイメージ情報１４ａを印刷すると共に、名称、品種名等の書誌的事項１４ｂを所定の位置に印刷する。
【００４７】
管理装置１０では、カメラ１１で撮影された段ボール箱６がカメラ１１の設置位置からラベル貼機１３の設置位置に向けて搬送されるのに同期して、この段ボール箱６の農産物を撮影して得られた第１画像等のイメージ情報１４ａ及び前記操作卓及びバーコードリーダー１２からの入力情報として得られた農産物の名称、品種、等級、階級、出荷年月日、個数等の書誌的事項１２ｂをラベルプリンタ１５で画像ラベル１４に印刷し、当該段ボール箱６がラベル貼機１３の設置位置に到達すると、当該段ボール箱６内に収納した農産物を示す画像ラベル１４がラベル貼機１３により当該段ボール箱６の外表面の所定位置に貼り付けられる。
【００４８】
このラベル貼機１３によるラベル貼が終了後、段ボール箱６の蓋が不図示の封函機などにより閉じられて最終的に箱詰が終了する。蓋が閉じられた封函済みの段ボール箱６は出荷エリアに不図示のコンベア等によって搬送され、出荷される。
【００４９】
図３は管理装置１０による画像形成装置Ａの動作を説明するフローチャートである。
【００５０】
選別包装装置Ａにおいて、生産者毎に農産物を選別コンベアに供給する際、前記操作卓に生産者の氏名を入力し、次の生産者の氏名を入力するまでは同じ生産者により生産されたものとして処理され、管理装置１０に記憶される。また生産者の入力と共に品目、品種名も前記操作卓より管理装置１０に入力されて記憶される。さらに、この操作卓により各箱詰装置５について、当該箱詰装置毎に箱詰を行う等階級の区分を予め設定する。また、管理装置１０はカレンダー機能により画像ラベルに印刷する撮影年月日を設定する。
【００５１】
また、選別コンベア１上に供給された農産物の選別が行われ、仕分けコンベア３から等・階級別に引出コンベア４に払い出された農産物が箱詰装置５で箱詰され、各箱詰装置５毎に予め設定された固有番号を文字又はバーコード等の記号で表示される箱詰装置番号ラベル７が農産物の収納された段ボール箱６の外表面に貼り付けられ（直接印字される場合もある）、この箱詰装置番号ラベル７をバーコードリーダー１２で読み取ると、読み取った情報（箱詰装置の番号）が管理装置１０に記憶される。そして管理装置１０では、予め操作卓により入力されている各箱詰装置５毎の等階級が読み出されて段ボール箱６毎に品目、品種、等級、階級、数量、撮影日、生産者名等が管理される（Ｓ１）。
【００５２】
次に、箱詰装置番号ラベル７が貼り付けられた農産物の箱詰された段ボール箱６は、蓋を開放した状態で搬送コンベア８上をカメラ１１の設置位置に向けて搬送され、カメラ１１により段ボール箱６内の農産物が全体的に撮影される（Ｓ２）。
【００５３】
Ｓ２においてカメラ１１により撮影された全体画像を画像処理し、部分的な拡大画像を得る。第２画像の要否は予め設定され、否と設定することによって全体画像の第１画像のみがラベルプリンタ１５により画像ラベル上に形成される（Ｓ３）。なお、第２画像を否と設定することによって、第２画像の形成処理そのものを実行しないようにすることも可能である。また、農産物の画像に加えてＳ１で記憶された品目、品種、等級、階級、数量、撮影日、生産者名などの書誌的事項の情報が形成される。
【００５４】
そして、上記した農産物の画像およびその農産物に対する書誌的事項を画像ラベル１４に形成すると、その画像ラベル１４に対応した農産物の収納された段ボール箱６の外表面の所定位置にラベル貼機１３により当該画像ラベル１４を貼り付け（Ｓ４）、本動作を終了する。
【００５５】
以上のように、本実施の形態によれば、出荷された農産物入りの段ボール箱６の外表面には収納されている農産物の外観を撮影した画像ラベル１４が貼り付けられているで、収納されている農産物の色、形状、大きさなどを容易に把握することが可能となった。
【００５６】
また、画像ラベル１４に表示している出荷時における外観画像から現在の農産物の色づきや形状（花などではつぼみから開花して形状が変化する）等を段ボール箱の蓋を開けることなく容易に予測することが可能となった。
【００５７】
このため、小売業者にあっては購入した商品（農産物）の販売スケジュールを立てることができる。
【００５８】
また、販売スケジュールに合わせて商品の買い付けができ、例えば特売日に丁度色が付くように予測して買い付けを行うことができる。
【００５９】
さらに、農産物の箱詰を終えた段ボール箱６の外表面に箱詰装置番号ラベル７を貼り付け後、搬送コンベア８に排出するだけで、自動的に段ボール箱６内の農産物の撮影を行い、画像ラベル１４にその農産物の画像と名称、品種、撮影年月日等を形成し、これを対応の段ボール箱６の外表面にラベル貼機１３で貼り付けるので、面倒な作業がなく取り扱いが容易である。さらに、画像ラベル１４に形成されている画像は段ボール箱６内に収納されている農産物の外観画像であるため、誰でもが認識することができる。
【００６０】
なお、上記した実施の形態では農産物としてトマトを例にしているが、本発明はこれに限定されるものではなく、花卉であっても良く、図２（ａ）は農産物として花卉を選別包装し、包装体として例えば段ボール箱内に収納されている花卉の画像を画像ラベル１４に形成し、段ボール箱の外表面にラベル貼機１３で貼り付ける画像形成装置Ｂの概略図である。また、図２（ｂ）は図２（ａ）に示す画像ラベル１４の拡大図を示す。
【００６１】
選別包装装置Ａとして、花卉の場合における箱詰は例えば手作業（手詰め）で行われ、予め決められた本数の花を箱詰する。また、花卉や特に傷み易い農産物或いは数の少ない農産物の場合、各生産者が手作業で選別、箱詰した段ボール箱６を集・集出荷場に持ち込んで、図２に示すように処理することもできる。
【００６２】
カメラ１１によって撮影した段ボール箱６内に収納された花の画像については、図２（ｂ）に示すように、全体を撮影した第１画像１４ｃと、部分拡大した第２画像１４ｄとの２種類の画像を画像ラベル１４に形成している。
【００６３】
したがって、図２に示す花卉を箱詰して出荷する際に、ダンボール箱６の外表面の所定位置に貼り付けられた画像ラベル１４の第１画像１４ｃと第２画像１４ｄとを見ると共に、出荷日付を見て、段ボール箱内に収納されている現在の花卉の色の状態、つぼみなどがどの程度大きくなっているか、あるいは開花日はいつかなどを容易に予測することができる。このため、小売業者などは例えばイベントに合わせて花の買い付けを行うことができる。
【００６４】
また、本実施の形態において、例えば段ボール箱６毎に固有識別情報をバーコード等で表示すれば、管理装置１０には、農産物の画像情報及び上記した書誌的事項についてのデータを段ボール毎に一箱単位で記憶することができるので、段ボール箱の上記固有識別情報を入力するなどしてこれらの画像情報と書誌的データを携帯電話あるいはパソコン等の端末装置から見ることができるようにしても良い。この場合、画像ラベル１４に表示していないデータや画像を見ることができるようにしておけば、買い付けの更なる判断の助けとなる他、画像ラベル１４が傷んで画像が見えにくい場合でも撮影した画像を確認することができる。
【００６５】
（第２の実施の形態）
図４は本発明の第２の実施の形態を示す。
【００６６】
図４（ａ）に示す選別包装装置Ａは平面的に示しており、図１（ａ）に示す第１の実施の形態おける選別包装装置Ａと同様に構成されている。本実施の形態では、等級及び階級等に仕分けられた農産物を仕分け区分毎に箱詰装置５（５ａ、５ｂ、５ｃ・・・）で箱詰後、各箱詰装置５毎に予め設定された固有番号を例えばバーコードで表示する箱詰装置番号ラベル９（９ａ、９ｂ、９ｃ・・・）をラベル貼機（不図示）で段ボール箱６の外表面に貼り付けている。本実施の形態の場合も第１の実施の形態と同様に、選別包装装置Ａでは箱詰後にダンボール箱６の蓋は閉じておらず、開放状態が維持されている。そして、箱詰装置番号ラベル９が貼り付けられた段ボール箱６は、搬送コンベア８によって画像形成装置Ｃを構成するカメラ１１の設置位置に向けて搬送される。
【００６７】
画像形成装置Ｃは、選別包装装置Ａから搬送されるダンボール箱６内の農産物を撮影し、この撮影画像のみを画像ラベル１９に印刷し、農産物の画像のみが印刷された画像ラベル１９を該印刷された農産物を収納している段ボール箱６の外表面に貼り付ける第１画像形成部Ｃ１と、農産物の品種、品目、等級、階級、カメラ１１による撮影年月日、生産者名等の書誌的事項を段ボール箱６の外表面に形成する第２画像形成部Ｃ２とにより構成され、図４（ａ）においてこの画像形成装置Ｃを縦断面で示している。
【００６８】
画像形成装置Ｃにおける第２画像形成部Ｃ２は、搬送コンベア８によって段ボール箱６がカメラ１１の設置位置に向けて搬送される途中に設けたバーコードリーダー１２を有し、段ボール箱６の外側面に貼り付けられた箱詰装置番号ラベル９を読み取るようになっている。このバーコードリーダー１２で読み取った段ボール箱６の箱詰装置番号ラベル９の箱詰装置の番号が管理装置１６に送信される。
【００６９】
管理装置１６は、各箱詰装置５毎に予め等階級区分が設定され、この等階級区分は各箱詰装置５の固有番号と対応して記憶され、さらに第１の実施の形態と同様に、不図示の操作卓より入力された生産者、品目、品種名等の書誌的事項が前記箱詰装置の固有番号と対応させて記憶される。
【００７０】
また、搬送コンベア８におけるバーコードリーダー１２とカメラ１１の設置位置との間には、段ボール箱６の外表面に当該段ボール箱６に収納されている農産物の品種、品目、等級、階級、カメラ１１による撮影年月日、生産者名等の書誌的事項をインクジェット方式で直接印字するプリンタ、又はこれらの書誌的事項を一旦ラベルに印刷し印刷後のラベルを貼り付けるラベル貼機などからなる情報付与手段１７が配置されている。
【００７１】
この情報付与手段１７は、管理装置１６により制御され、搬送コンベア８上を所定の速度で移動する段ボール箱６の外表面に書誌的事項を直接印字により形成あるいは該書誌的事項が印刷されたラベルを貼り付け、段ボール箱６の外表面の所定位置に書誌的事項表示部１８を形成する。
【００７２】
以上が第２の画像形成部Ｃ２の構成であり、次に第１画像形成部Ｃ１の構成を説明する。
【００７３】
第１画像形成部Ｃ１は、蓋が開いた状態の段ボール箱６内の農産物を撮影するカメラ１１と、このカメラ１１で撮影した画像情報に基づいて所定サイズの農産物の画像のみを画像ラベル１９に印刷するラベルプリンタ２０と、ラベルプリンタ２０からプリントアウトされた画像ラベル１９を段ボール箱６の所定位置（箱詰装置番号ラベル９、書誌的事項表示部１８と重ならない位置）に貼り付けるラベル貼機１３とにより構成される。図４（ｂ）は段ボール箱６に対する箱詰装置番号ラベル９、書誌的事項表示部１８、画像ラベル１９の表示位置を示している。
【００７４】
情報付与手段１７で書誌的事項を表示された蓋が開いた状態の段ボール箱６がカメラ１１の設置位置まで搬送コンベア８上を搬送されると、この段ボール箱６は静止状態でカメラ１１により収納している農産物が撮影される。図４（ａ）に示すように、撮影済みの段ボール箱６がラベル貼機１３に向かって移動することにより、その段ボール画像ラベル１９が段ボール箱６に貼り付けられ、その間に次の段ボール箱６の撮影を行うようにしている。
【００７５】
すなわち、撮影位置とラベル貼機１３との間には段ボール箱６をプールさせておらず、撮影済みの段ボール箱６をラベル貼機１３に向けて移動させているので、ラベルプリンタ２０からプリントアウトされる農産物の画像は間違いなく該当する段ボール箱６に貼り付けられることになる。そして、画像ラベル１９の貼り付け後、自動封函機（不図示）によって蓋が閉じられる。
【００７６】
なお、画像ラベル１９の貼り付けが行われたことを示す信号をラベル貼機１３からカメラ１１に送信させ、このラベル貼り付け終了信号を受けて次の段ボール箱６内の農産物の撮影を行うようにすれば、カメラ１１による撮影の済んだ段ボール箱６がラベル貼機１３に間違いなく搬送され、ラベル貼機１３の手前にラベル貼を待って待機する段ボール箱６が並ぶことがない。このため、カメラ１１の設置位置とラベル貼機１３との間隔を狭くすることができ、その分搬送コンベア８を短くすることができる。勿論、ラベル貼機１３とカメラ１１との間に画像ラベル貼待ちの段ボール箱６をプールさせるようにしても良く、この場合でも順に段ボール箱６に画像ラベル１９を貼り付けていけば、特に段ボール箱６の固有識別情報を示すバーコードをバーコードリーダーで読み取り、段ボール箱６を管理して画像ラベル１９を該当する段ボール箱６に貼り付ける制御を行うことはない。
【００７７】
また、カメラ１１で撮影した画像情報を管理装置１６に送信し、当該画像情報を対応する段ボール箱６の固有識別番号に合わせて記憶させるようにしても良い。この場合、例えば情報付与手段１７の設置位置からカメラ１１の設置位置まで段ボール箱６が到達するのに要する時間に基づいて段ボール箱６を特定することができる。
【００７８】
以上説明したように、本実施の形態によれば、第１画像形成部Ｃ１では、撮影が終了した農産物の収納されている段ボール箱６をラベル貼機１３の位置まで搬送し、カメラ１１で撮影した農産物の画像のみを画像ラベル１９に印刷し、この画像ラベル１９をラベル貼機１３で段ボール箱６に貼り付けているので、パソコン等の制御装置を用いて段ボール箱６の管理を行うことなく画像ラベル１９を該当する段ボール箱６に貼り付けることができる。
【００７９】
また、画像ラベル１９には農産物の画像情報のみを印刷し、農産物の書誌的事項については情報付与手段１７により別に段ボール箱６に表示させることができるので、例えばインクジェット方式のプリンタによって直接段ボール箱６の外表面に書誌的事項を表示させることができる。
【００８０】
勿論、書誌的事項だけでなく、画像情報についても画像表示ラベルを用いることなく段ボール箱等の包装体の外表面に農産物の画像を直接形成することも可能である。
【図面の簡単な説明】
【００８１】
【図１】本発明の第１の実施の形態を示し、（ａ）は農産物の選別包装施設の概略構成を示す図、（ｂ）は包装商品の画像表示ラベルの一例を示す図である。
【図２】（ａ）は包装商品の表示画像形成システムの概略を示す図、（ｂ）は（ａ）の表示画像形成システムにより形成された包装商品の画像表示ラベルの表示形態を示す図である。
【図３】表示画像形成システムの動作を示すフローチャートである。
【図４】本発明の第２の実施の形態を示し、（ａ）は農産物の選別包装施設の概略構成を示す図、（ｂ）は段ボール箱に対する箱詰装置番号ラベル、書誌的事項表示部、画像ラベルの表示位置を示す図である。
【符号の説明】
【００８２】
Ａ  選別包装装置
Ｂ、Ｃ  画像形成装置
Ｃ１  第１画像形成部
Ｃ２  第２画像形成部
１  選別コンベア
２ａ  計測装置
２ｂ  演算装置
３  仕分けコンベア
４（４ａ、４ｂ、４ｃ）  引出コンベア
５（５ａ、５ｂ、５ｃ・・・）  箱詰装置
６  段ボール箱
７（７ａ、７ｂ、７ｃ・・・）  箱詰装置番号ラベル
８  搬送コンベア
９（９ａ、９ｂ、９ｃ・・・）  箱詰装置番号ラベル
１０  管理装置
１１  カメラ
１２  バーコードリーダー
１３  ラベル貼機
１４  画像ラベル
１４ａ  イメージ情報
１４ｂ  書誌的事項
１４ｃ  第１画像
１４ｄ  第２画像
１５  ラベルプリンタ
１６  管理装置
１７  情報付与手段
１８  書誌的事項表示部
１９  画像ラベル
【図１】
2005055711.tif 000003
【図２】
2005055711.tif 000004
【図３】
2005055711.tif 000005
【図４】
2005055711.tif 000006